(57)【要約】【課題】風通しの向上とコンパクトな収納又は陳列とを両立することができ、使い勝手がよい衣類用ハンガを提供する。【解決手段】衣類用ハンガ１は、衣類が懸吊される２つのアーム２，２と、該２つのアーム２，２夫々の基端部を揺動可能に支持する支持部３と、該支持部３を吊り下げ、被掛止物に掛止される掛止部１１とを備える。前記２つのアーム２，２は、前記掛止部１１の下方で閉じる位置と左右方向に開く位置との間で揺動する。各アーム２は、前後方向に互いに接離可能な２つの接離部２４，２４を有する。衣類用ハンガ１は、前記２つのアーム２，２の開／閉と各アーム２の前記２つの接離部２４，２４の離隔／接近とを連動させる連動部４を備える。【選択図】図２
2018050699.tif 000002
【特許請求の範囲】
【請求項１】
衣類が懸吊される２つのアームと、
該２つのアーム夫々の基端部を揺動可能に支持する支持部と、
該支持部を吊り下げ、被掛止物に掛止される掛止部と
を備え、
前記２つのアームは、前記掛止部の下方で閉じる位置と左右方向に開く位置との間で揺動する衣類用ハンガにおいて、
各アームは、前後方向に互いに接離可能な２つの接離部を有し、
前記２つのアームの開／閉と各アームの前記２つの接離部の離隔／接近とを連動させる連動部を備えることを特徴とする衣類用ハンガ。
【請求項２】
前記連動部は、前記アーム毎に、
前記２つのアームの開閉に伴い、前記アームに沿って往復移動可能な移動部と、
該移動部及び前記２つの接離部に連なり、前記移動部の往復移動に伴って開閉可能な開閉部と
を有し、
該開閉部の開閉に伴って前記接離部が互いに接離することを特徴とする請求項１に記載の衣類用ハンガ。
【請求項３】
前記移動部は、前記２つのアームが開く場合に前記アームに沿う一方向に移動し、前記２つのアームが閉じる場合に前記アームに沿う他方向に移動し、
前記開閉部はＶ字状をなし、Ｖ字の２つの先端部が前記２つの接離部夫々に連なり、前記移動部の前記一方向への移動に伴って開き、前記移動部の前記他方向への移動に伴って閉じることを特徴とする請求項２に記載の衣類用ハンガ。
【請求項４】
各接離部には前記開閉部のＶ字の２つの先端部を受け止める受け止め部が設けられていることを特徴とする請求項３に記載の衣類用ハンガ。
【請求項５】
前記移動部は前記アームと共に揺動し、
前記移動部は棒状をなし、前記支持部から前記アームに亘って該アームの長手方向に配されており、
前記開閉部は、前記移動部の前記アームの側の端部に連なり、
前記支持部は、前記アーム毎に、該アームの揺動に伴って前記移動部の前記支持部の側の端部が摺動する凹状曲面を有し、
各凹状曲面は、上下方向の径が長く左右方向の径が短い弧状、又は、上下方向の径が短く左右方向の径が長い弧状をなすことを特徴とする請求項２から４の何れか一項に記載の衣類用ハンガ。
【請求項６】
前記連動部は、前記アーム毎に、
前記２つのアームの開／閉に伴って互いに接近／離隔すると共に、前記２つの接離部の離隔／接近に連動して互いに接近／離隔する２つの逆接離部
を有することを特徴とする請求項１に記載の衣類用ハンガ。
【請求項７】
前記２つの逆接離部は前記アームと共に揺動し、
前記支持部は、前記アーム毎に、
前記２つの逆接離部が収容される収容部
を有し、
該収容部の内部には、前記アームと共に揺動した前記２つの逆接離部が摺動し、互いの離隔距離が変化する２つの被摺動面が設けられており、
前記２つのアームが開く場合は、前記被摺動面に摺動することによって前記２つの逆接離部が互いに接近する方向に導かれ、前記２つのアームが閉じる場合は、前記被摺動面に摺動することによって前記２つの逆接離部が互いに離隔する方向に導かれることを特徴とする請求項６に記載の衣類用ハンガ。
【請求項８】
各アームの前記２つの接離部は、前記アームの基端部を基点としてＶ字状に互いに離隔することを特徴とする請求項１から７の何れか一項に記載の衣類用ハンガ。
【発明の詳細な説明】
【技術分野】
【０００１】
本発明は、２つのアームが開閉する衣類用ハンガに関する。
【背景技術】
【０００２】
従来、２つのアームが開閉する衣類用ハンガが用いられている（特許文献１参照）。
特許文献１に記載の衣類用ハンガを用いる場合、使用者は、２つのアームが閉じられている衣類用ハンガを、例えばＴシャツの首に通し、次いで、２つのアームを開く。Ｔシャツは、開かれた２つのアームに懸吊される。
【先行技術文献】
【特許文献】
【０００３】
【特許文献１】特許第３６４４０１８号公報
【発明の概要】
【発明が解決しようとする課題】
【０００４】
２つのアームに懸吊されたＴシャツの前身頃と後身頃とを互いに離隔させた場合、前身頃と後身頃とが近接している場合よりも風通しが向上する。故に、アームの幅は広い（アームの前後方向の長さは長い）方がよい。
しかしながら、アームの幅が広い衣類用ハンガは、アームの幅が狭い衣類用ハンガよりも大型なので、例えば衣類用ハンガを収納又は陳列する場合に不便である。
この問題を解消するために、アームの幅を可変にすることが考えられるが、２つのアームの開閉とアームの幅の変更とを個別に行なう作業は煩雑なので、使い勝手が悪い。
【０００５】
本発明は斯かる事情に鑑みてなされたものであり、その主たる目的は、風通しの向上とコンパクトな収納又は陳列とを両立することができ、使い勝手がよい衣類用ハンガを提供することにある。
【課題を解決するための手段】
【０００６】
本実施の形態に係る衣類用ハンガは、衣類が懸吊される２つのアームと、該２つのアーム夫々の基端部を揺動可能に支持する支持部と、該支持部を吊り下げ、被掛止物に掛止される掛止部とを備え、前記２つのアームは、前記掛止部の下方で閉じる位置と左右方向に開く位置との間で揺動する衣類用ハンガにおいて、各アームは、前後方向に互いに接離可能な２つの接離部を有し、前記２つのアームの開／閉と各アームの前記２つの接離部の離隔／接近とを連動させる連動部を備えることを特徴とする。
【０００７】
本実施の形態に係る衣類用ハンガは、前記連動部は、前記アーム毎に、前記２つのアームの開閉に伴い、前記アームに沿って往復移動可能な移動部と、該移動部及び前記２つの接離部に連なり、前記移動部の往復移動に伴って開閉可能な開閉部とを有し、該開閉部の開閉に伴って前記接離部が互いに接離することを特徴とする。
【０００８】
本実施の形態に係る衣類用ハンガは、前記移動部は、前記２つのアームが開く場合に前記アームに沿う一方向に移動し、前記２つのアームが閉じる場合に前記アームに沿う他方向に移動し、前記開閉部はＶ字状をなし、Ｖ字の２つの先端部が前記２つの接離部夫々に連なり、前記移動部の前記一方向への移動に伴って開き、前記移動部の前記他方向への移動に伴って閉じることを特徴とする。
【０００９】
本実施の形態に係る衣類用ハンガは、各接離部には前記開閉部のＶ字の２つの先端部を受け止める受け止め部が設けられていることを特徴とする。
【００１０】
本実施の形態に係る衣類用ハンガは、前記移動部は前記アームと共に揺動し、前記移動部は棒状をなし、前記支持部から前記アームに亘って該アームの長手方向に配されており、前記開閉部は、前記移動部の前記アームの側の端部に連なり、前記支持部は、前記アーム毎に、該アームの揺動に伴って前記移動部の前記支持部の側の端部が摺動する凹状曲面を有し、各凹状曲面は、上下方向の径が長く左右方向の径が短い弧状、又は、上下方向の径が短く左右方向の径が長い弧状をなすことを特徴とする。
【００１１】
本実施の形態に係る衣類用ハンガは、前記連動部は、前記アーム毎に、前記２つのアームの開／閉に伴って互いに接近／離隔すると共に、前記２つの接離部の離隔／接近に連動して互いに接近／離隔する２つの逆接離部を有することを特徴とする。
【００１２】
本実施の形態に係る衣類用ハンガは、前記２つの逆接離部は前記アームと共に揺動し、前記支持部は、前記アーム毎に、前記２つの逆接離部が収容される収容部を有し、該収容部の内部には、前記アームと共に揺動した前記２つの逆接離部が摺動し、互いの離隔距離が変化する２つの被摺動面が設けられており、前記２つのアームが開く場合は、前記被摺動面に摺動することによって前記２つの逆接離部が互いに接近する方向に導かれ、前記２つのアームが閉じる場合は、前記被摺動面に摺動することによって前記２つの逆接離部が互いに離隔する方向に導かれることを特徴とする。
【００１３】
本実施の形態に係る衣類用ハンガは、各アームの前記２つの接離部は、前記アームの基端部を基点としてＶ字状に互いに離隔することを特徴とする。
【００１４】
本実施の形態にあっては、開く２つのアームに連動して各アームの２つの接離部が互いに離隔するので、アームの幅が広がる。一方、閉じる２つのアームに連動して各アームの２つの接離部が接近するので、アームの幅が狭まる。即ち、２つのアームの開／閉に連動して各アームの幅の広／狭を切り替えることができるので、衣類用ハンガは使い勝手がよい。
開かれた２つのアームに衣類が懸吊される場合、各アームの幅は広い。つまり、衣類の風通しを向上させることができる。
衣類用ハンガを使用しない場合、２つのアームを閉じれば、各アームの幅が狭まる。故に、衣類用ハンガをコンパクトに収納又は陳列することができる。
【００１５】
本実施の形態にあっては、２つのアームの開閉に伴って、移動部がアームに沿って往復移動する。移動部の往復移動に伴って、開閉部が開閉する。開閉部の開閉に伴って接離部が互いに接離する。以上の結果、２つのアームの開閉と各アームの２つの接離部の接離とを連動させることができる。
【００１６】
本実施の形態にあっては、２つのアームが開く場合、移動部はアームの先端側（又は基端側）に移動する。このとき、開閉部は開く。開閉部が開くと、開閉部のＶ字の先端部に連なる２つの接離部が互いに離隔する。
２つのアームが閉じる場合、移動部はアームの基端側（又は先端側）に移動する。このとき、開閉部は閉じる。開閉部が閉じると、開閉部のＶ字の先端部に連なる２つの接離部が互いに接近する。
以上の結果、２つのアームの開閉と各アームの２つの接離部の接離とを簡易な構成で連動させることができる。
【００１７】
本実施の形態にあっては、受け止め部が開閉部のＶ字の２つの先端部を受け止める。故に、開閉部の開閉動作を接離部に確実に伝えることができる。従って、開閉部の開閉と２つの接離部の接離とを簡易な構成で連動させることができる。
【００１８】
本実施の形態にあっては、アームの揺動に伴い、移動部の支持部側の端部が、支持部が有する凹状曲面に摺動する。このとき、凹状曲面はカム面として機能し、移動部はカムフォロアとして機能する。
２つのアームが開く場合、移動部は左右方向に向くので、支持部にある移動部の長さが短く（又は短く）なる。即ち、移動部はアームの先端側（又は基端側）に移動する。
２つのアームが閉じる場合、移動部は上下方向に向くので、支持部にある移動部の長さが長く（又は短く）なる。即ち、移動部はアームの基端側（又は先端側）に移動する。
以上のように、簡易な構成で移動部を往復移動させることができる。
【００１９】
本実施の形態にあっては、２つのアームが開く場合、２つの逆接離部は互いに接近する。このとき、２つの接離部が互いに離隔する。
２つのアームが閉じる場合、２つの逆接離部は互いに離隔する。このとき、２つの接離部が互いに接近する。
以上の結果、２つのアームの開閉と各アームの２つの接離部の接離とを簡易な構成で連動させることができる。
【００２０】
本実施の形態にあっては、アームの揺動に伴い、２つの逆接離部が、支持部の内部に設けられた２つの被摺動面に摺動する。このとき、２つの被摺動面はカム面として機能し、２つの逆接離部はカムフォロアとして機能する。
２つのアームが開く場合、２つの被摺動面に摺動する２つの逆接離部は互いに接近する。このとき、２つの接離部が互いに離隔する。
２つのアームが閉じる場合、２つの被摺動面に摺動する２つの逆接離部は互いに離隔する。このとき、２つの接離部が互いに接近する。
以上のように、簡易な構成で２つの逆接離部を接離させることができる。
【００２１】
本実施の形態にあっては、２つの接離部のＶ字状の離隔によって、アームの基端側から先端側に向けて、アームの幅が広がっていく。
例えば２つのアームにＴシャツが懸吊されている場合、アームの幅が広いほど、Ｔシャツの前身頃と後身頃とが離隔する。故に、Ｔシャツの首側から肩側に向けて前身頃と後身頃との離隔距離が長くなるので、Ｔシャツの型崩れを抑制することができる。
【発明の効果】
【００２２】
本実施の形態の衣類用ハンガは、風通しの向上とコンパクトな収納又は陳列とを両立することができ、使い勝手がよい。
【図面の簡単な説明】
【００２３】
【図１】実施の形態１に係る衣類用ハンガ（アーム開）を略示する斜め上側から見た斜視図である。
【図２】衣類用ハンガを略示する斜め下側から見た斜視図である（アーム開）。
【図３】衣類用ハンガを略示する斜視図である（アーム閉）。
【図４】衣類用ハンガが備えるアームを略示する斜視図である（外面側）。
【図５】衣類用ハンガが備えるアームを略示する斜視図である（内面側）。
【図６】衣類用ハンガが備えるアーム及び支持部を略示する斜視図である。
【図７】衣類用ハンガが備えるアーム及び支持部を略示する部分断面斜視図である（アーム開）。
【図８】衣類用ハンガが備えるアーム及び支持部を略示する部分断面斜視図である（アーム閉）。
【図９】実施の形態２に係る衣類用ハンガ（アーム開）を略示する斜め上側から見た斜視図である。
【図１０】衣類用ハンガ（アーム開）を略示する斜め下側から見た拡大斜視図である。
【図１１】衣類用ハンガ（アーム閉）を略示する斜め下側から見た斜視図である。
【図１２】衣類用ハンガ（アーム開）が備えるアームを略示する斜視図である。
【図１３】衣類用ハンガ（アーム閉）が備えるアームを略示する斜視図である。
【図１４】衣類用ハンガが備えるアームの分解斜視図である。
【図１５】衣類用ハンガが備える支持部を略示する斜視図である。
【発明を実施するための形態】
【００２４】
以下、本発明を、その実施の形態を示す図面に基づいて詳述する。
【００２５】
実施の形態  １．
図１〜図３は、実施の形態１に係る衣類用ハンガを略示する斜視図である。
図中１は衣類用ハンガであり、衣類用ハンガ１は、左右方向に並置された２つのアーム２，２が開閉するよう構成されている。図１は、アーム２，２が開いている状態の衣類用ハンガ１を斜め上側から見た図である。図２は、アーム２，２が開いている状態の衣類用ハンガ１を斜め下側から見た図である。図３は、アーム２，２が閉じている状態の衣類用ハンガ１を示している。
衣類用ハンガ１は、アーム２，２の他に、掛止部１１及び支持部３を備える。
【００２６】
掛止部１１はフック状をなす。掛止部１１は、被掛止物（例えば物干し竿又は洗濯紐）に掛止される。掛止部１１は支持部３を吊り下げる。なお、掛止部１１はフック状に限定されない。
支持部３は、アーム２，２夫々の基端部２１をアーム２，２夫々が揺動可能なように支持する。アーム２，２は、掛止部１１の下方で閉じる位置と、左右方向に開く位置との間で揺動する。
まず、アーム２，２の開閉について詳述する。
【００２７】
図４及び図５は、アーム２を略示する斜視図である。図６は、アーム２，２及び支持部３を略示する斜視図である。図７及び図８は、アーム２，２及び支持部３を略示する部分断面斜視図である。図７は、アーム２，２が開いている状態を示している。図８は、アーム２，２が閉じている状態を示している。
【００２８】
アーム２，２夫々の構成は、互いに略同じである。
図１〜図８に示す各アーム２は、概ね断面Ｕ字状をなす。図４はアーム２の外面側を示し、図５はアーム２の内面側を示している。
アーム２の基端部２１には、枢軸２２，２２が突設されている。枢軸２２，２２の突設方向は、アーム２の長手方向に交差する方向の互いに逆方向である。
アーム２の基端部２１には、係合突起２３が突設されている。係合突起２３の突設方向は、アーム２の長手方向である。係合突起２３は先細り形状をなし、係合突起２３の突設方向に対して傾斜する傾斜面を有する。
【００２９】
図１〜図３及び図６〜図８に示す支持部３は、下向きに開口した箱状をなす。支持部３には、支持孔３１，３１が左右方向に並設されている。各支持孔３１は、支持部３の前壁及び後壁を貫通している。
アーム２，２夫々の各枢軸２２は、支持部３の開口から支持部３の内部へ挿入されている。左側（及び右側）のアーム２の枢軸２２，２２は、左側（及び右側）の支持孔３１に、回動可能に挿通されている。枢軸２２，２２の回動に伴い、アーム２は枢軸２２，２２を中心に揺動する。
【００３０】
アーム２，２夫々が互いに逆方向に揺動することによって、アーム２，２が開閉する。
開いているアーム２，２においては、各アーム２は、一般的な衣類の肩部分が傾斜しているのと同様に傾斜している。
各アーム２の先端部は、アーム２の枢軸２２，２２よりも適長下方に位置している。閉じているアーム２，２は、互いに平行に支持部３から垂下する。
【００３１】
衣類用ハンガ１は、操作部材１２を更に備える。
操作部材１２はＶ字状をなす。操作部材１２のＶ字の屈曲部分は、支持部３の開口から支持部３の内部へ挿入されており、左右のアーム２，２の間にて、操作部材１２の前壁及び後壁に取り付けられている。操作部材１２のＶ字の２つの先端部１２１，１２１は、支持部３の開口から下向きに突出している。
操作部材１２は開閉可能である。左側の先端部１２１に右向きの外力、且つ、右側の先端部１２１に左向きの外力（以下では、まとめて操作外力という）が加えられた場合、先端部１２１，１２１が互いに接近するので、操作部材１２は左右方向に閉じる。操作外力が操作部材１２に加えられなくなった場合、操作部材１２は自身の弾性によって左右方向に開き、元の形状に戻る。
【００３２】
各先端部１２１には係合突起１２２が突設されている。係合突起１２２は先細り形状をなし、係合突起１２２の突設方向に対して傾斜する傾斜面を有する。操作部材１２が有する２つの係合突起１２２，１２２夫々の突設方向は、左右方向の互いに逆向きである。
アーム２，２が開く場合、アーム２の係合突起２３は操作部材１２の係合突起１２２に接近し、アーム２，２が閉じる場合、アーム２の係合突起２３は操作部材１２の係合突起１２２から離隔する。
【００３３】
アーム２，２が完全に開いている場合、操作部材１２の係合突起１２２，１２２の下部とアーム２，２の係合突起２３，２３の上部とが係合する。それと共に、左側（及び右側）のアーム２が、支持部３の左壁（及び右壁）の先端部に当接する（図７参照）。以上の結果、アーム２，２夫々が揺動を規制されるので、アーム２，２は開いた状態で保持される。
【００３４】
操作部材１２に操作外力が加えられた場合、操作部材１２の係合突起１２２，１２２がアーム２，２の係合突起２３，２３から離隔し、操作部材１２の係合突起１２２，１２２とアーム２，２の係合突起２３，２３との係合は解除される。故に、アーム２，２夫々は、互いに接近する方向への揺動が可能になる。
揺動可能になったアーム２，２は、自重（又は使用者がアーム２，２に加えた外力）によって、互いに接近する方向に揺動する。この結果、アーム２，２は閉じる（図８参照）。このとき、アーム２，２の係合突起２３，２３は操作部材１２の係合突起１２２，１２２を回避して係合突起１２２，１２２の上側へ移動する。
【００３５】
閉じたアーム２，２を再び開かせる場合、使用者は、アーム２，２が互いに離隔する方向に揺動するようアーム２，２に外力を加える。このとき、アーム２，２の係合突起２３，２３が、操作部材１２の係合突起１２２，１２２に接触し、係合突起１２２，１２２へ、操作部材１２が閉じる方向の外力を加える。それと共に、各アーム２の係合突起２３の傾斜面が操作部材１２の係合突起１２２の傾斜面に摺動する。この結果、係合突起２３，２３は係合突起１２２，１２２を乗り越えて係合突起１２２，１２２の下側へ移動する。
係合突起２３，２３が係合突起１２２，１２２の下側に移動した場合、係合突起２３，２３から係合突起１２２，１２２へ外力が加わらなくなるので、操作部材１２が開く。このとき、係合突起１２２，１２２の下部と係合突起２３，２３の上部とが係合する。以上の結果、アーム２，２は開いた状態で保持される。
【００３６】
次に、図１〜図８を参照しつつ、アーム２，２の幅の変更について説明する。
各アーム２の基端部２１の長さは、アーム２の長さの１割程度である。アーム２は、基端部２１の他に接離部２４，２４を有する。
接離部２４，２４は、アーム２の基端部２１以外を前後方向に２分割したような形状をなす。接離部２４，２４は、スリット２５を介して互いに平行に配されている。
各接離部２４の長手方向の一端部は、アーム２の基端部２１に一体に設けられている。接離部２４は、接離部２４，２４の接離方向の可撓性を有する。
なお、接離部２４，２４におけるアーム２の基端部２１側の端部同士がヒンジを介して結合されていてもよい。
【００３７】
前側の接離部２４に前向きの外力、且つ、後側の接離部２４に後向きの外力（以下では、まとめて離隔外力という）が加えられた場合、接離部２４，２４はアーム２の基端部２１を基点としてＶ字状に互いに離隔する。このとき、アーム２の幅は、基端部２１から先端部に向けて広がる。
離隔外力が接離部２４，２４に加えられなくなった場合、接離部２４，２４は自身の弾性によって互いに接近する。このとき、アーム２の幅は狭まり、基端部２１から先端部に向けて均一になる。
つまり、接離部２４，２４の接／離によって、アーム２，２夫々の幅の狭／広が切り替えられる。
【００３８】
次に、アーム２，２の開閉と接離部２４，２４の接離との連動について説明する。
衣類用ハンガ１は、連動部４を更に備える。
連動部４は、アーム２毎に移動部４１と開閉部４２とを有する。
各移動部４１は直棒状をなす。移動部４１は、支持部３からアーム２に亘ってアーム２の長手方向に配されている。移動部４１の支持部３側の端部は、支持部３の開口から支持部３の内部へ挿入されている。移動部４１のアーム２側の端部はアーム２の内部に配されている。移動部４１の長手方向の中途は、移動部４１がアーム２に沿って移動可能に、アーム２に支持されている。具体的には、アーム２の基端部２１に２つの貫通孔がアーム２の長手方向に並設されており、この２つの貫通孔に移動部４１が挿通されている。故に、移動部４１はアーム２と共に揺動する。
【００３９】
各開閉部４２はＶ字状をなす。開閉部４２はアーム２の内部に配されている。開閉部４２は、開閉部４２のＶ字の先端部４２１，４２１が接離する方向の可撓性を有する。開閉部４２のＶ字の屈曲部分は、移動部４１のアーム２側の端部に連なる。本実施の形態では、移動部４１及び開閉部４２は一体に設けられている。
なお、別体の移動部４１及び開閉部４２が互いに取り付けられていてもよい。また、開閉部４２のＶ字の屈曲部分がヒンジ状であってもよい。
【００４０】
各接離部２４の内面には受け止め部２６が設けられている。受け止め部２６は嵌合片２６１及び突き当て片２６２を有する。嵌合片２６１及び突き当て片２６２はアーム２の長手方向に並設されている。嵌合片２６１は、アーム２の長手方向に交差する薄片状をなし、薄片の中心部に貫通孔を有する。開閉部４２の先端部４２１は、嵌合片２６１の貫通孔に内嵌めされている。突き当て片２６２は、嵌合片２６１よりもアーム２の先端側に配されており、開閉部４２の先端部４２１が突き当てられている。突き当て片２６２はリブ２６３によって補強されている。リブ２６３は、突き当て片２６２及び接離部２４の内面に亘って設けられている。
【００４１】
アーム２，２が開いた場合、移動部４１はアーム２の先端に向けて移動する。このとき、開閉部４２には、アーム２の先端に向かう外力が移動部４１から加えられるが、開閉部４２の先端部４２１，４２１が受け止め部２６，２６の突き当て片２６２，２６２に受け止められるので、開閉部４２は移動しない。このとき、移動部４１から開閉部４２に加えられた外力は、開閉部４２を開く方向に作用する。故に、開閉部４２は前後方向に開き、開閉部４２の先端部４２１，４２１が受け止め部２６，２６の嵌合片２６１，２６１に受け止められる。この結果、開閉部４２が開く動きが接離部２４，２４に確実に伝わる。換言すれば、接離部２４，２４に離隔外力が加えられる。従って、接離部２４，２４が互いに離隔する。
【００４２】
アーム２，２が閉じた場合、移動部４１は支持部３に向けて移動する。この場合、アーム２の先端に向かう外力が移動部４１から開閉部４２に加えられなくなるので、開閉部４２は、自身の弾性によって閉じ、元の形状に戻る。この結果、離隔外力が接離部２４，２４に加えられなくなる。従って、接離部２４，２４が互いに接近する。
本実施の形態の接離部２４，２４は、自身の弾性によって互いに接近するが、接離部２４，２４は、自身の弾性による接離部２４，２４の接近が生じない構成でもよい。この場合、開閉部４２が閉じる動きが受け止め部２６，２６の嵌合片２６１，２６１を介して接離部２４，２４に伝わることによって、接離部２４，２４が互いに接近する。
【００４３】
なお、連動部４は、開閉部４２に替えて、移動部４１に連なるカムフォロワをアーム２毎に有していてもよい。この場合、接離部２４，２４の互いに対向する部分夫々にカム面が設けてあり、カム面同士の離隔距離は、アーム２の基端側から先端側に亘って短くなるよう設けてある。カムフォロワは、接離部２４，２４のカム面夫々に摺動する。
アーム２，２が開いた場合、移動部４１及びカムフォロワはアーム２の先端側に移動する。このとき、カムフォロワは離隔距離が短いカム面間に介在するので、接離部２４，２４が互いに離隔する。
アーム２，２が閉じた場合、移動部４１及びカムフォロワはアーム２の基端側に移動する。このとき、カムフォロワは離隔距離が長いカム面間に介在するので、接離部２４，２４が互いに接近する。
【００４４】
次に、アーム２，２の開閉と各移動部４１のアーム２に沿った往復移動との連動について説明する。
支持部３は、アーム２毎に凹状曲面３２を有する（図７及び図８に一方の凹状曲面３２だけ図示）。このために、支持部３の内部には、山状部分３３が設けられている。山状部分３３の頂上は支持部３の開口に向き、山状部分３３の山裾は支持部３の底壁に向けて広がる。２つの凹状曲面３２，３２は、山状部分３３の左右両側に設けられている。
各凹状曲面３２は弧状をなす。凹状曲面３２の上下方向の径は長く、凹状曲面３２の左右方向の径は短い。
【００４５】
移動部４１の支持部３側の端部は、凹状曲面３２に突き当てられている。故に、アーム２の揺動に伴い、移動部４１の支持部３側の端部は、凹状曲面３２に摺動する。アーム２から見て相対的に支持部３が揺動するので、凹状曲面３２はカム面として機能し、移動部４１はカムフォロアとして機能する。
【００４６】
アーム２，２が開く場合、移動部４１はアーム２と共に揺動して左右方向に向くので、支持部３の内部にある移動部４１の長さが短くなる。即ち、移動部４１はアーム２の先端側に移動する。
アーム２，２が閉じる場合、移動部４１は上下方向に向くので、支持部３の内部にある移動部４１の長さが長くなる。即ち、移動部４１はアーム２の基端側に移動する。
【００４７】
本実施の形態の移動部４１及び開閉部４２はＹ字状の部材であり、開閉部４２の先端部４２１，４２１は、アーム２の基端側から受け止め部２６，２６に取り付けられ、アーム２，２が開く場合に移動部４１がアーム２の先端側に移動し、アーム２，２が閉じる場合に移動部４１がアーム２の基端側に移動するが、これに限定されるものではない。
【００４８】
例えば、移動部４１及び開閉部４２は矢符状の部材でもよい。この場合、受け止め部２６の突き当て片２６２は、嵌合片２６１よりもアーム２の基端側に配される。開閉部４２の先端部４２１，４２１は、アーム２の先端側から受け止め部２６，２６に取り付けられる。更に、アーム２，２が開く場合に移動部４１がアーム２の基端側に移動し、アーム２，２が閉じる場合に移動部４１がアーム２の先端側に移動する。
アーム２，２が開く場合に移動部４１をアーム２の基端側に移動させ、アーム２，２が閉じる場合に移動部４１をアーム２の先端側に移動させるためには、例えば、各凹状曲面３２が、上下方向の径が短く、左右方向の径が長い弧状であればよい。
【００４９】
なお、移動部４１の往復移動は、移動部４１が凹状曲面３２に摺動することによるものに限定されない。例えば、移動部４１の往復移動は、アーム２の枢軸２２，２２の回動に伴って、移動部４１が連結されているワイヤの巻き取り／繰り出しを行なうリールによるものでもよい。
【００５０】
衣類用ハンガ１は連結部１３を更に備える。
連結部１３は、掛止部１１と支持部３とが上下方向に接離可能なように、掛止部１１の下端部と支持部３の底壁とを連結している。なお、衣類用ハンガ１は連結部１３を備えていなくてもよい。この場合、例えば掛止部１１の下端部が支持部３の底壁に取り付けられている。
【００５１】
衣類用ハンガ１は、吊り掛け部１４を更に備える。
吊り掛け部１４は、掛止部１１の下端部に取り付けられている。故に、吊り掛け部１４は、掛止部１１と共に支持部３に接離する。吊り掛け部１４は、左右方向に互いに反対向きに延設された２つの棒状部を有する。吊り掛け部１４には、例えばフード付き衣服のフードが吊り掛けられる。なお、衣類用ハンガ１は吊り掛け部１４を備えていなくてもいい。
【００５２】
以上のような衣類用ハンガ１は、アーム２，２の開／閉に連動して各アーム２の幅の広／狭を切り替えることができるので、使い勝手がよい。
洗濯後の衣類（以下、Ｔシャツを例示する）を干す場合、使用者は、アーム２，２が閉じられている衣類用ハンガ１を、Ｔシャツの首に通す。次いで、使用者は、アーム２，２を完全に開き、開かれたアーム２，２にＴシャツを懸吊する。更に、使用者は、掛止部１１を被掛止物に係止する。アーム２，２は開いた状態に保持されるので、アーム２，２からＴシャツが脱落する虞はない。
【００５３】
アーム２，２が開くと、アーム２，２夫々の幅が広くなる。このとき、アーム２，２に懸吊されたＴシャツの前身頃と後身頃とが互いに離隔するので、Ｔシャツの前身頃と後身頃とが近接している場合よりも風通しが向上する。故に、Ｔシャツの乾燥を促進することができる。
アーム２の幅は、アーム２の基端部２１から先端部に向けて広がっているので、Ｔシャツの首側から肩側に向けて前身頃と後身頃との離隔距離を長くすることができる。故に、Ｔシャツの型崩れを抑制することができる。
なお、アーム２の接離部２４，２４は、互いに平行な状態で接離してもよい。しかしながら、衣類の型崩れを抑制する観点からは、接離部２４，２４がＶ字状に互いに接離する方が望ましい。
【００５４】
Ｔシャツを衣類用ハンガ１から取り外す場合、使用者は、操作部材１２に操作外力を加えることによって、アーム２，２を閉じる。次に、使用者は、アーム２，２が閉じられている衣類用ハンガ１を、Ｔシャツの首から抜き取る。
アーム２，２が閉じるとアーム２，２夫々の幅が狭くなる。故に、使用者は、衣類用ハンガ１をコンパクトに収納することができる。
ところで、例えば衣類用ハンガ１の販売時にアーム２，２が閉じてあれば、衣類用ハンガ１をコンパクトに陳列することができる。
【００５５】
次に、実施の形態２を説明する。実施の形態２の衣類用ハンガ１は、実施の形態１の衣類用ハンガ１と略同様の構成である。実施の形態２の衣類用ハンガ１は、実施の形態１の衣類用ハンガ１の作用効果と略同様の作用効果を奏する。以下では、実施の形態１との差異について説明し、その他、実施の形態１と同一の構成要素には同一の符号を付してそれらの説明を省略する。
【００５６】
実施の形態  ２．
図９は、実施の形態２に係る衣類用ハンガ１を略示する斜め上側から見た斜視図である。図９は、アーム２，２が開いている状態の衣類用ハンガ１を示す。
図１０は、アーム２，２が開いている状態の衣類用ハンガ１を略示する斜め下側から見た拡大斜視図である。図１０には、支持部３の近傍が示されている。
図１１は、アーム２，２が閉じている状態の衣類用ハンガ１を略示する斜め下側から見た斜視図である。
【００５７】
図１２は、アーム２，２が開いている状態の衣類用ハンガ１が備えるアーム２を略示する斜視図である。
図１３は、アーム２，２が閉じている状態の衣類用ハンガ１が備えるアーム２を略示する斜視図である。
図１４は、アーム２の分解斜視図である。
【００５８】
本実施の形態のアーム２は、一方の接離部２４の基端部側に前側基端部２１１が設けられた棒材と、他方の接離部２４の基端部側に後側基端部２１２が設けられた棒材とを有する。接離部２４は、アーム２を構成する棒材の長手方向の大半を占める。前側基端部２１１は、アーム２の基端部２１の前半分を構成し、後側基端部２１２は、アーム２の基端部２１の後半分を構成する。前側基端部２１１の前面及び後側基端部２１２の後面には、枢軸２２，２２が１つずつ突設されている。
また、アーム２は実施の形態１の係合突起２３を有していない。
【００５９】
本実施の形態の連動部４は、アーム２毎に２つの逆接離部４４，４４を有する。逆接離部４４，４４は、前側基端部２１１及び後側基端部２１２夫々の接離部２４，２４の逆側に突設されている。各逆接離部４４は、実施の形態１の係合突起２３と略同様の形状を有する。
前側基端部２１１の後面及び後側基端部２１２の前面夫々においては、接離部２４に近い部分が平面状をなし、接離部２４から遠い部分が、逆接離部４４に近づくほど先細りになるような傾斜面状をなす。前側基端部２１１の後面及び後側基端部２１２の前面夫々の平面部分２１a，２１ｂを互いに接触させた場合、前側基端部２１１の後面及び後側基端部２１２の前面夫々の傾斜面部分２１ｃ，２１ｄは、アーム２の長手方向に沿って逆接離部４４に近づくほど互いに離隔するように傾斜している。
【００６０】
前側基端部２１１の後面には凸部２７１及び凹部２７２が設けられている。凸部２７１の突設方向及び凹部２７２の穿設方向は、互いに平行、且つ、前側基端部２１１の平面部分２１ａに直交する方向である。
後側基端部２１２の前面には、凸部２７１が挿入される凹部２７２、及び凹部２７２に挿入される凸部２７１（各不図示）が設けられている。
凸部２７１，２７１が凹部２７２，２７２に挿入されることによって、前側基端部２１１及び後側基端部２１２が各凸部２７１の突出方向に交差する方向に互いに位置ずれすることが抑制される。
【００６１】
各接離部２４及び各逆接離部４４は、凸部２７１，２７１が凹部２７２，２７２に挿入された状態で、アーム２の基端部２１を中心に前後方向に揺動可能である。各接離部２４及び各逆接離部４４の揺動に伴い、前側基端部２１１及び後側基端部２１２の平面部分２１a，２１ｂが接触するか、又は前側基端部２１１及び後側基端部２１２の傾斜面部分２１ｃ，２１ｄが接触するかが切り替わる。
【００６２】
前側基端部２１１及び後側基端部２１２の平面部分２１a，２１ｂが接触している場合、接離部２４，２４は接離部２４，２４夫々の全長に亘って互いに接触する（図１１及び図１３参照）。接離部２４，２４の接近に伴い、逆接離部４４，４４は互いに離隔する。
前側基端部２１１及び後側基端部２１２の傾斜面部分２１ｃ，２１ｄが接触している場合、接離部２４，２４はアーム２の基端部２１を基点としてＶ字状に互いに離隔する（図９、図１０、及び図１２参照）。接離部２４，２４の離隔に伴い、逆接離部４４，４４は互いに接近する。
【００６３】
図１５は、衣類用ハンガ１が備える支持部３を略示する斜視図である。
図９〜図１１及び図１５に示す支持部３は、下向きに開口した箱状をなし、支持部３の内部における左右方向中央部には、操作部材１２が配されている。支持部３の内部における操作部材１２の左側の部分は、左側のアーム２に関する収容部３４として用いられ、支持部３の内部における操作部材１２の右側の部分は、右側のアーム２に関する収容部３４として用いられる。
２つの収容部３４，３４は、左右対称の構成を有する。
以下では、右側のアーム２に関する各部の構成及び動作を例示して説明する。
【００６４】
収容部３４の前壁の内面には、凸条部３４１が後向きに突設されている。凸条部３４１は上下方向に長い。凸条部３４１は、操作部材１２の右側の係合突起１２２の近傍に配されている。凸条部３４１の右面は、凸条部３４１が先細りになるように傾斜している。同様に、収容部３４の後壁の内面には、凸条部３４１が前向きに突設されている。２つの凸条部３４１，３４１は前後方向に対向している。
【００６５】
各支持孔３１は、収容部３４の前壁及び後壁夫々の右下隅部を貫通している。収容部３４には、支持部３の開口を通して、アーム２の基端部２１及び逆接離部４４，４４が収容される。アーム２の枢軸２２，２２は、支持孔３１に回動可能に挿通される。枢軸２２，２２の回動に伴い、アーム２は枢軸２２，２２を中心に揺動する。このとき、接離部２４，２４及び逆接離部４４，４４は共に揺動する。ただし、アーム２，２が開く場合、接離部２４，２４は右上に向けて揺動するが、逆接離部４４，４４は左下に向けて揺動する。アーム２，２が閉じる場合、接離部２４，２４は左下に向けて揺動するが、逆接離部４４，４４は右上に向けて揺動する。
【００６６】
アーム２，２の開閉に伴い、前側基端部２１１に突設されている逆接離部４４は、収容部３４の前壁の内面に摺動し、後側基端部２１２に突設されている逆接離部４４は、収容部３４の後壁の内面に摺動する。以下では、収容部３４の内面における逆接離部４４，４４が摺動する部分を被摺動面３４ａ，３４ａという。被摺動面３４ａ，３４ａは前後方向に対向している。
【００６７】
各被摺動面３４ａにおいては、右側の部分及び左右方向の中央部分が平面状をなし、左側の部分が傾斜面状をなす。被摺動面３４ａ，３４ａの平面部分は互いに平行である。被摺動面３４ａ，３４ａの傾斜面部分は凸条部３４１，３４１の右面である。被摺動面３４ａ，３４ａの傾斜面部分同士は、左側ほど離隔距離が短い。つまり、被摺動面３４ａ，３４ａ間の離隔距離は、左側ほど短い。
【００６８】
アーム２，２が開く場合、逆接離部４４，４４は被摺動面３４ａ，３４ａの平面部分に摺動しつつ左下に向けて揺動する。このとき、逆接離部４４，４４は操作部材１２の係合突起１２２に接近する。
次いで、逆接離部４４，４４は、被摺動面３４ａ，３４ａの傾斜面部分に摺動する。このとき、逆接離部４４，４４が互いに接近するので、接離部２４，２４が互いに離隔する。
【００６９】
アーム２，２が完全に開いた場合、操作部材１２の係合突起１２２と逆接離部４４，４４とが係合する。それと共に、右側のアーム２が、収容部３４の右壁の先端部に当接する（図９及び図１０参照）。以上の結果、アーム２，２夫々が揺動を規制されるので、アーム２，２は開いた状態で保持される。
【００７０】
操作部材１２に操作外力が加えられた場合、操作部材１２の係合突起１２２が逆接離部４４，４４から離隔し、操作部材１２の係合突起１２２と逆接離部４４，４４との係合は解除される。故に、アーム２，２夫々は、互いに接近する方向への揺動が可能になる。
揺動可能になったアーム２，２は、自重（又は使用者がアーム２，２に加えた外力）によって、互いに接近する方向に揺動する。この結果、アーム２，２は閉じる（図１１参照）。このとき、逆接離部４４，４４は操作部材１２の係合突起１２２から離隔して、被摺動面３４ａ，３４ａの傾斜部分に摺動しつつ右上に向けて揺動する。すると、逆接離部４４，４４が互いに離隔するので、接離部２４，２４が互いに接近する。
【００７１】
次いで、逆接離部４４，４４は、被摺動面３４ａ，３４ａの平面部分に接触する。このとき、接離部２４，２４が互いに接触する。
図示はしないが、収容部３４の底壁の内面には、凸状の介在部が設けられている。介在部は、逆接離部４４，４４間に介在する。介在部の前後方向の長さは、右上ほど厚く、左下ほど薄い。従って、アーム２，２が閉じられている場合に接離部２４，２４を離隔させるような外力がアーム２に加えられたとしても、介在部が逆接離部４４，４４の接近を阻害するので、接離部２４，２４が無用に離隔することが抑制される。なお、逆接離部４４，４４は、被摺動面３４ａ，３４ａ及び介在部の前面及び後面の両方に摺動することによって接離してもよい。
【００７２】
本実施の形態の連結部１３には、掛止部１１を支持部３側に折り畳むことが可能なように、掛止部１１の下端部と支持部３の底壁とを連結している。
本実施の形態の衣類用ハンガ１は吊り掛け部１４を備えていないが、これに限定されるものではない。
【００７３】
以上のような衣類用ハンガ１は、部品点数が少ないので製造コストを削減することができる。
【００７４】
なお、逆接離部４４，４４の接離は逆接離部４４，４４が被摺動面３４ａ，３４ａに摺動することによるものに限定されない。例えば、逆接離部４４，４４夫々に内蔵された磁石と収容部３４に収容された磁石との引力又は斥力によるものでもよい。
【００７５】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
各実施の形態に開示されている構成要件（技術的特徴）はお互いに組み合わせ可能であり、組み合わせによって新しい技術的特徴を形成することができる。
【符号の説明】
【００７６】
１      衣類用ハンガ
１１    掛止部
２      アーム
２１    基端部
２４    接離部
２６    受け止め部
３      支持部
３２    凹状曲面
３４    収容部
３４ａ  被摺動面
４      連動部
４１    移動部
４２    開閉部
４２１  先端部
４４    逆接離部
【図１】
2018050699.tif 000003
【図２】
2018050699.tif 000004
【図３】
2018050699.tif 000005
【図４】
2018050699.tif 000006
【図５】
2018050699.tif 000007
【図６】
2018050699.tif 000008
【図７】
2018050699.tif 000009
【図８】
2018050699.tif 000010
【図９】
2018050699.tif 000011
【図１０】
2018050699.tif 000012
【図１１】
2018050699.tif 000013
【図１２】
2018050699.tif 000014
【図１３】
2018050699.tif 000015
【図１４】
2018050699.tif 000016
【図１５】
2018050699.tif 000017